(57)【特許請求の範囲】
【請求項１】
ポンプ、該ポンプを駆動する電動機、該電動機を駆動するドライバー、該ポンプの吸込又は吐出に取付けた逆止弁、前記ポンプの運転状況を検知する運転状況検知手段及び該運転状況検知手段の出力に応じて前記ドライバーに信号を送り前記ポンプの運転制御を行う制御部を具備する給液装置において、
前記制御部は、給液装置の受水槽の数を表すコードと、それらの受水槽の数にそれぞれ対応して給液装置を制御するプログラム、及び、市水の流入方式を表すコードと、それら市水の流入方式にそれぞれ対応して給液装置を制御するプログラムが格納されたＲＯＭと、給液装置の備える受水槽の数や市水の流入方式に合わせて前記コードを設定する入力手段と、設定されたコードが書き込まれるＲＡＭと、前記ＲＡＭに書き込まれたコードに対応した前記プログラムを実行して前記ポンプの運転制御を行うＣＰＵとを備えたことを特徴とする給液装置。
【請求項２】
前記制御部は、不揮発性の記憶手段を備え、給液装置の完成時、前記入力手段により該給液装置の構成と機能に合致したコードを入力設定した際は、該コードを前記ＲＡＭ及び前記不揮発性の記憶手段に書き込み、後に当該給液装置の構成と機能変更でコードを変更する際は、前記入力手段より該変更するコードを入力し、該コードと前記ＲＡＭに記憶されている変更する構成と機能に対応するコードとを比較し、両者が異なる時のみ該変更するコードを前記不揮発性の記憶手段に書き込み、給液装置の起動時は、前記不揮発性の記憶手段に記憶されているコードを読み出し前記ＲＡＭに書き込むことを特徴とする請求項１に記載の給液装置。
【発明の詳細な説明】
【０００１】
【発明の属する技術分野】
本発明は多くのユーザの異なる使用方法に容易に対応できる汎用性の高い制御手段を有する給液装置に関するものである。
【０００２】
【従来の技術】
図２は給液装置の全体構成例を示す図である。図示するように、本給液装置は第１受水槽１０−１、第２受水槽１０−２、第１ポンプ１−１、第２ポンプ１−２を具備し、第１ポンプ１−１はモータ２−１で駆動され、第２ポンプ１−２はモータ２−２で駆動され、更にモータ２−１はドライバー３−１で駆動され、モータ２−２はドライバー３−２で駆動されるよう構成されている。ドライバー３−１及びドライバー３−２のそれぞれの１次側は漏電遮断器４−１及び漏電遮断器４−２を介して電源端子６に接続されている。ドライバー３−１及びドライバー３−２はそれぞれ制御部７により制御されるように構成され、制御部７にはリモコン８及びリモコン９が接続されている。
【０００３】
第１ポンプ１−１及び第２ポンプ１−２のそれぞれ吸込口１−１ａ及び吸込口１−２ａはそれぞれ第１受水槽１０−１及び第２受水槽１０−２に仕切弁Ｖ１及び仕切弁Ｖ２を介して接続された集合管１１の吸口１１ａ、１１ｂに接続されている。第１受水槽１０−１及び第２受水槽１０−２にはそれぞれ市水道より、電磁弁ＳＶ１及び電磁弁ＳＶ２を介して制御部７の制御により受水するようになっている。また、第１受水槽１０−１及び第２受水槽１０−２にはそれぞれ水位検出器１０−１ａ、水位検出器１０−２ａを具備し、その出力は制御部７に転送される。
【０００４】
第１ポンプ１−１及び第２ポンプ１−２のそれぞれの吐出口は集合管１２に接続され、該集合管１２には圧力タンク１３、圧力発信器１４が接続され、更に第１ポンプ１−１からの吐出し流量を検知する水量検知器１５−１、第２ポンプ１−２からの吐出し流量を検知する水量検知器１５−２が設けられている。
【０００５】
図３は上記従来の給液装置の制御部７の構成例を示す図である。図示するように、制御部７は機能処理部７−１、外部出力部７−２、外部出力部７−３、外部入力部７−４、通信入出力部７−５を具備する。機能処理部７−１はＮＯ．１号機（第１ポンプ１−２）及びＮＯ．２号機（第２ポンプ１−２）の運転，故障，停止、ＮＯ．１、ＮＯ．２号機の交互運転，交互故障切替，停止、圧力演算、警報（吐出圧力低下，漏電，ドライバー故障）少水量停止、受水槽（渇水，減水，正常，満水）、システムインタロック等の処理を行う。
【０００６】
上記構成の給液装置において、一般には、集合管１２から給水先である建物内の各戸の蛇口に接続されている。各戸で水を使用し、圧力タンク１３内の圧力が低下すると制御部７は圧力発信器１４の信号でそれを検知し、第１ポンプ１−１、第２ポンプ１−２が始動する。始動後は、建物内の使用水量に見合ったポンプの吐出し圧力で運転される。使用水量が極端に少なくなると両ポンプ１−１、１−２の吐出口にある水量検知器１５−１、１５−２が給水量を検知しポンプを停止する。
【０００７】
水位検出器１０−１ａ及び水位検出器１０−２ａはそれぞれ第１受水槽１０−１、第２受水槽１０−２の水位を検出し、第１受水槽１０−１又は第２受水槽１０−２の水位が低下すると電磁弁ＳＶ１又は電磁弁ＳＶ２を開いて市水を第１受水槽１０−１又は第２受水槽１０−２に流入させる。第１受水槽１０−１又は第２受水槽１０−２の水位が上昇し、水位が復帰すると電磁弁ＳＶ１又は電磁弁ＳＶ２を閉じる。
【０００８】
第１受水槽１０−１及び第２受水槽１０−２の水位が低下し、電磁弁ＳＶ１及び電磁弁ＳＶ２が開いても更に水位が低下する場合は、制御部７の機能処理部７−１は外部出力部７−２を介して受水槽水位の減水、渇水等の警報を外部に発する。また、水位が復帰しても電磁弁ＳＶ１又は電磁弁ＳＶ２が完全に閉止にならない場合は、第１受水槽１０−１又は第２受水槽１０−２の水位が増加し、外部出力部７−２を介して受水槽の満水警報を発する。
【０００９】
第１受水槽１０−１及び第２受水槽１０−２の内部を定期的に清掃するときは交互に清掃する。即ち、第１受水槽１０−１（又は第２受水槽１０−２）より第１ポンプ１−１と第２ポンプ１−２の両方に水を供給するため仕切弁Ｖ１（又は仕切弁Ｖ２）を開き、仕切弁Ｖ２（又は仕切弁Ｖ１）を閉じ、第２受水槽１０−２（又は第１受水槽１０−１）の水を排水し、内部の清掃と消毒を行う。
【００１０】
上記清掃中は市水が第１受水槽１０−１（又は第２受水槽１０−２）内に入って来ない様に電磁弁ＳＶ１（又は電磁弁ＳＶ２）の動作を停止させる必要がある。これら一連の操作はリモコン８の操作釦の操作により行う。リモコン８の操作釦を押すと、表示部（図では省略）にＮＯ．１−共用−ＮＯ．２と順に点灯し、点灯した受水槽内の水位を検出するとともに、点灯した受水槽用の電磁弁ＳＶ１、ＳＶ２が水槽水位に応じて動作する。
【００１１】
また、リモコン８にはモード切替操作部が設けられ、電磁弁ＳＶ１を手動にて動作させ作動確認する“手動モード”、電磁弁ＳＶ１が水位に連動して動作する“自動モード”、水位にかかわらず動作する“試験モード”、電磁弁ＳＶ１を動作させない“断モード”の各動作モードの切替操作ができる。以上は受水槽が２槽設置され市水の流入を電磁弁ＳＶ１、ＳＶ２により行っている場合の説明である。
【００１２】
図４は一槽式受水槽の例を示す図である。一般的には受水槽１０が１槽の場合は市水の流入制御はボールタップにより行われる。ボールタップは水位Ｌの上下動につれて浮子（ボール）４１が上下動し、該上下動が竿４２によってバルブ部４３に伝わるようになっており、受水槽１０の水位Ｌが低くなると浮子４１が下がり、バルブ部４３が開き、市水が受水槽１０内に流入する。市水の流入で水位Ｌが上昇すると、浮子４１は上昇し、バルブ部４３を閉じる。このように、受水槽１０内の水位が下がるとボールタップの浮子４１に連動して市水が流入し、水位Ｌが上昇するとバルブ部４３が閉となる。この様に１槽の受水槽１０を使用する場合は制御部７による制御は不要となる。
【００１３】
また、建物内への給水の途中で配水管内に塩素液を注入し、給水の殺菌を行う場合がある。図５は給液装置に減菌機を接続する場合の構成例を示す図である。図示する、減菌機５０は薬液を収容した液槽５５、モータ５１及び薬液ポンプ５２を具備し、吸込管５３の一端が薬液ポンプ５２の吸込口に接続され他端は液槽５５内に開口する。また吐出管５４の一端は薬液ポンプ５２の吐出口に他端は集合管１２内に開口する。モータ５１により薬液ポンプ５２を駆動すると、液槽５５の薬液は集合管１２内に注入される。
【００１４】
一般に、運転モードとして第１ポンプ１−１、第２ポンプ１−２の運転と連動させて減菌機５０を駆動させる自動運転と、減菌機の回転方向の確認運転状況の把握等を行うための手動運転があり、制御部７には運転モードを切替る切替手段が必要となる。
【００１５】
図６（ａ）は従来の減菌機の駆動回路の構成例を示す図である。図示するように、従来は制御部７の外部出力部７−２の運転１、２の端子Ａ１、Ａ２に補助リレーＸ１、補助リレーＸ２を接続し、各補助リレーＸ１、Ｘ２の接点ｘ１、接点ｘ２の並列回路に切替スイッチ５６を直列に接続し、薬液ポンプ５２のモータ５１に接続する。切替スイッチ５６が自動の位置ａの場合、第１ポンプ１−１が運転されると接点５７が閉じ、補助リレーＸ１が動作し、その接点ｘ１が閉じてモータ５１が駆動される。
【００１６】
第２ポンプ１−２が運転されるときも同様に補助リレーＸ２の接点ｘ２が動作しモータ５１が駆動される。切替スイッチ５６が手動の位置ｃにある場合は第１ポンプ１−１、第２ポンプ１−２と無関係にモータ５１は駆動される。切替スイッチ５６が断の位置ｂの場合は第１ポンプ１−１、第２ポンプ１−２が運転されても、モータ５１は起動されず薬液ポンプ５２は運転されない。また、外部出力を使用しているため、外部用出力端子をＸＡＣ、ＸＡ１、ＸＡ２の常開の接点Ｘ１、Ｘ２で出す必要がある。
【００１７】
給液装置は維持管理の為、各ポンプの運転時間及び運転回数の管理を行う場合がある。図７は従来のこのよう管理を行なう場合の管理装置の構成例を示す図である。図７に示すように制御部７の出力部７−２の運転１、２の端子Ａ１、Ａ２に補助リレーＸ１、Ｘ２を接続し、その補助リレーの接点ｘ１、ｘ２でカウンタＣＮＴ１、ＣＮＴ２及び時計Ｈｒ１、Ｈｒ２を動作させ、それぞれの運転回数及び、運転時間を計測し各々に表示をする。同図で接点５９は第１ポンプ１−１の運転中は閉で、接点６０は第２ポンプ１−２の運転中は閉じる接点である。
【００１８】
また、建屋内にさまざまな機器がある場合、管理室より一括して、遠方より運転停止の指令を行う場合がある。図８は従来の遠方／手元制御切替回路の構成例を示す図である。図示するように、手元−遠方の切替スイッチ６１を設け、切替スイッチ６１が手元の位置ａでは直接補助リレーＲＸの接点Ｒｘを制御部７の入力端子３１、３２に取り込むことで、切替スイッチ６１が手元の位置ａの時は制御部７の指令で作動し、遠方の位置ｂの時は端子Ｃ１３とＣ１４に遠方の信号がある時（閉）には、補助リレーＲＸが励磁されるので、遠方の信号の有無により機器を動作させることができる。なお、６２は閉じることによりポンプが運転される接点である。
【００１９】
【発明が解決しようとする課題】
上記のように、給液装置はユーザにより使用方法は様々であるが、従来の給液装置では制御部７で補助リレー回路を設け、それぞれの使用に対応している。しかしながら、これらを全て事前に用意し、制御部７の中に組み入れるとコストが高くなるという問題がある。即ち、ユーザ毎に使用方法が異なっているため、ユーザによって使用しない回路部分はそのユーザにとっては無駄となる。そのため、一般的にユーザの要求（注文）に合わせて制御部を製作しているので製作納期が延びるだけでなく、コストも大幅に高くなってしまうという問題があった。
【００２０】
本発明は上述の点に鑑みてなされたもので、上記問題点を除去し、使用方法の異なるユーザに容易に適用できる汎用性のある制御が可能な給液装置を提供することを目的とする。
【００２１】
【課題を解決するための手段】
上記課題を解決するため請求項１に記載の発明は、ポンプ、該ポンプを駆動する電動機、該電動機を駆動するドライバー、該ポンプの吸込又は吐出に取付けた逆止弁、ポンプの運転状況を検知する運転状況検知手段及び該運転状況検知手段の出力に応じてドライバーに信号を送り前記ポンプの運転制御を行う制御部を具備する給液装置において、制御部は、給液装置の受水槽の数を表すコードと、それらの受水槽の数にそれぞれ対応して給液装置を制御するプログラム、及び、市水の流入方式を表すコードと、それら市水の流入方式にそれぞれ対応して給液装置を制御するプログラムが格納されたＲＯＭと、給液装置の備える受水槽の数や市水の流入方式に合わせてコードを設定する入力手段と、設定されたコードが書き込まれるＲＡＭと、ＲＡＭに書き込まれたコードに対応したプログラムを実行してポンプの運転制御を行うＣＰＵとを備えたことを特徴とする。
【００２２】
また、請求項２に記載の発明は請求項１に記載の給液装置において、制御部は、不揮発性の記憶手段を備え、給液装置の完成時、入力手段により該給液装置の構成と機能に合致したコードを入力設定した際は、該コードをＲＡＭ及び不揮発性の記憶手段に書き込み、後に当該給液装置の構成と機能変更でコードを変更する際は、入力手段より該変更するコードを入力し、該コードと前記ＲＡＭに記憶されている変更する構成と機能に対応するコードとを比較し、両者が異なる時のみ該変更するコードを不揮発性の記憶手段に書き込み、給液装置の起動時は、不揮発性の記憶手段に記憶されているコードを読み出しＲＡＭに書き込むことを特徴とする。
【００２６】
【発明の実施の形態】
以下、本発明の実施の形態を図面に基づいて詳細に説明する。図１は本発明の給液装置の制御部の構成例を示す図である。図示するように、本発明の給液装置の制御部７は通信部７１、ＣＰＵ７２、不揮発性メモリのＥＥＰＲＯＭ７３、ＲＡＭ（ランダムアクセスメモリ）７４、ＲＯＭ（リードオンリメモリ）７５、入力部７６及び出力部７７を具備する。
【００２７】
制御方法としては給液装置の構成と機能に対応してプログラム及びコードが設けられ、各プログラムはＲＯＭ７５に格納されており、ＣＰＵ７２で実行される。入力部７６からは給液装置を制御する為の水量検知器１５−１、水量検知器１５−２、圧力発信器１４等の出力信号が入力されるとともに、構成と機能に応じたコードが入力されＲＡＭ７４及びＥＥＰＲＯＭ７３に格納設定される（詳細後述）。
【００２８】
通信部７１にはリモコン８及びリモコン９が接続され、各リモコン８，９には操作釦及び運転を表示する表示部が設けられ、給液装置の運転を操作するとともに給液装置の構成と機能に応じてコードを設定することもできる。
【００２９】
図９はコード名称と設定値の例を示す図である。図示するように、コードの種類として、受水槽の数を表す受水槽コード、電磁弁の方式を表す電磁弁コード、モニタの種類を表すモニターコード、遠方操作切替機能の有無を表す遠方・手元コード、減菌機の有無を表す減菌機コードが設けられ、各コードに対応してプログラムが設けられＲＯＭ７５に格納されている。
【００３０】
例えば受水槽コード＝２で電磁弁コード＝１の場合は給液装置の受水槽の個数は２槽式、市水流入方式は電磁弁方式を示し、それに対応するプログラムは第１受水槽１０−１及び第２受水槽１０−２の各電磁弁を制御し水位を調整する。リモコン８、９への表示も“ＮＯ．１水槽／共用／ＮＯ．２水槽”の運転表示を行い、運転モードも自動／断／試験の切替が可能となり各モード表示を行う（図では省略）ことを示す。
【００３１】
コードの設定手順を説明する。リモコン８、９にはデータ（コード）等を設定する入力部及び表示部が設けられている。個々の給液装置の完成時、入力部７６又はリモコン８、リモコン９の何れかから該給液装置の構成と機能に合致したコードを入力すると、該コードに対応する機能が表示される。入力されたコードはＲＡＭ７４及びＥＥＰＲＯＭ７３に書き込まれる。
【００３２】
運転時、ＣＰＵ７２が所定のプログラムを実行する際はＲＡＭ７４に書き込まれたコードを参照し所定の制御を行う。ＥＥＰＲＯＭ７３は停電時にデータ（コード）を保証するためにあり、停電後の給液装置の再起動時にはＥＥＰＲＯＭ７３に書き込まれたコードを読み出しＲＡＭ７４へ書き込み後、運転に入る。これらの一連の動作はＲＯＭ７５に格納されているプログラムで実行される。
【００３３】
給液装置の構成や機能変更でコードを変更する際、入力部７１又はリモコン８、リモコン９の何れかから入力されたコードはＲＡＭ７４の所定のコードと比較され、異なった場合のみＥＥＰＲＯＭ７３へ書き込む。書き込み後、再び読み出しＲＡＭ７４に格納されているデータと照合し確認する。このように常に新しいコードはＥＥＰＲＯＭ７３に書き込まれデータ（コード）の停電保証を行っている。又、同じコードがＲＡＭ７４にも格納されているので、ＣＰＵ７２は常にＥＥＰＲＯＭ７３内のコードをアクセスする必要はなくなりＥＥＰＲＯＭ７３の書き込み回数は少なくなり寿命が延びる。
【００３４】
また、制御部７の通信部７１に２つ以上のリモコンが接続される場合もある。この場合は各リモコンにＩＤ番号を割付け、制御部７はＩＤ番号で各リモコンへ問合せ信号を出力し、該当するリモコンより所定のデータを受信する。こうすることにより容易にリモコンの増設ができる。また、リモコンにも機能別に数種類用意されＩＤ番号で対応させているので、制御部７は機能に合致したリモコンの有無を容易に判断することができる。
【００３５】
上述したようにハード構成及び機能に対応したコード及びプログラムを設け、ＥＥＰＲＯＭ７３、ＲＡＭ７４、ＲＯＭ７５に格納し、ＣＰＵ７２で実行するようにしたので、客先仕様又は要求に合わせて各コードを設定し、それに見合ったリモコン８を制御部７の通信部７１に接続するだけで客先仕様・要求に応じた内容の制御が可能になる。即ち、標準品に適切なリモコン８、９を取付け適合したコードを入力設定するだけでよく、従来の様にリレーを接続したり、切替スイッチを取り付けたり、それらの間の接続を行ったりすることなく客先仕様や要求に応じた制御が可能になる。
【００３６】
【発明の効果】
以上説明したように各請求項に記載の発明によれば、下記のような優れた効果が得られる。
【００３７】
請求項１に記載の発明によれば、制御部は、給液装置の受水槽の数を表すコードと、それらの受水槽の数にそれぞれ対応して給液装置を制御するプログラム、及び、市水の流入方式を表すコードと、それら市水の流入方式にそれぞれ対応して給液装置を制御するプログラムが格納されたＲＯＭと、給液装置の備える受水槽の数や市水の流入方式に合わせてコードを設定する入力手段と、設定されたコードが書き込まれるＲＡＭと、ＲＡＭに書き込まれたコードに対応したプログラムを実行してポンプの運転制御を行うＣＰＵとを備えているので、個々の給液装置に対してはその受水槽の数、市水の流入方式に合致したコードを設定すれば、個々の使用に自由に対応できる。また、制御部は標準品なので仕込み生産が可能となりコストも低減でき、納期も短縮できる。また、ソフトで対応するので、従来のリレー等のハード構成は最小限度でよくコストを抑えることができる。
【００３８】
請求項２に記載の発明によれば、制御部は、不揮発性の記憶手段を備え、給液装置の完成時、入力手段により該給液装置の構成と機能に合致したコードを入力設定した際は、該コードをＲＡＭ及び不揮発性の記憶手段に書き込み、後に当該給液装置の構成と機能変更でコードを変更する際は、入力手段より該変更するコードを入力し、該コードとＲＡＭに記憶されている変更する構成と機能に対応するコードとを比較し、両者が異なる時のみ該変更するコードを不揮発性の記憶手段に書き込み、給液装置の起動時は、不揮発性の記憶手段に記憶されているコードを読み出しＲＡＭに書き込むので、不揮発性の記憶手段に常に新しいデータが書き込まれる。また、同じコードがＲＡＭにも格納されているので、ＣＰＵは常に不揮発性の記憶手段内のデータをアクセスする必要なく、不揮発性の記憶手段の書き込み回数が少なくなり該記憶手段の寿命が延びる。
【図面の簡単な説明】
【図１】本発明の給液装置の制御部の構成例を示す図である。
【図２】給液装置の全体構成例を示す図である。
【図３】従来の給液装置の制御部の構成例を示す図である。
【図４】一槽式受水槽の構成例を示す図である。
【図５】給液装置に減菌機を接続する場合の構成例を示す図である。
【図６】従来の減菌機の駆動回路の構成例を示す図である。
【図７】従来の管理装置の構成例を示す図である。
【図８】従来の遠方／手元制御切替回路の構成例を示す図である。
【図９】コード名称と設定値の例を示す図である。
【符号の説明】
１−１        第１ポンプ
１−２        第２ポンプ
２−１        モータ
２−２        モータ
３−１        ドライバー
３−２        ドライバー
４−１        漏電遮断器
４−２        漏電遮断器
７            制御部
８            リモコン
９            リモコン
１０−１      第１受水槽
１０−２      第２受水槽
１０−１ａ    水位検知器
１０−２ａ    水位検知器
１１          集合管
１２          集合管
１３          圧力タンク
１４          圧力発信器
１５−１      水量検知器
１５−２      水量検知器
７１          通信部
７２          ＣＰＵ部
７３          ＥＥＰＲＯＭ
７４          ＲＡＭ
７５          ＲＯＭ
７６          入力部
７７          出力部
【図１】
0004080913.tif 000002
【図２】
0004080913.tif 000003
【図３】
0004080913.tif 000004
【図４】
0004080913.tif 000005
【図５】
0004080913.tif 000006
【図６】
0004080913.tif 000007
【図７】
0004080913.tif 000008
【図８】
0004080913.tif 000009
【図９】
0004080913.tif 000010